(57)【要約】      （修正有）【課題】  作溝器で溝を形成しながら、その中に種を播くようにして種が確実に溝の中に投下できるようにするとともに、播種と同時に被覆材を被せられるようにする。【解決手段】  繰出しドラム9の下方に播種管13を設け、繰出しドラム9から繰り出した種を播種管13を通して地表に播種する播種装置において、作溝器14を播種管13を取り囲むように取り付けたことを特徴とする播種装置。【選択図】   図１
2006158321.tif 000002
【特許請求の範囲】
【請求項１】
繰出しドラムの下方に播種管を設け、繰出しドラムから繰り出した種を播種管を通して地表に播種する播種装置において、作溝器を播種管を取り囲むように取り付けたことを特徴とする播種装置。
【請求項２】
作溝器の上方に水平面内で強制回転させられる第１藁被せを取り付けた請求項１の播種装置。
【請求項３】
第１藁被せの両側に、進行方向に回転するホイルを取り付けた請求項２の播種装置。
【請求項４】
第１藁被せが平面視で菱形をしており、その角部に突起を突出させたものである請求項２又は３の播種装置。
【請求項５】
第１藁被せの前方に水平面内で強制回転させられる第２藁被せを取り付けた請求項１〜４いずれか１項の播種装置。
【請求項６】
第２藁被せが円盤体の周囲に突起を突出させたものである請求項５の播種装置。
【請求項７】
繰出しドラム、播種管及び作溝器からなる播種ユニットが複数並設される請求項１〜６いずれか１項の播種装置。
【発明の詳細な説明】
【技術分野】
【０００１】
本発明は、籾等の種を圃場に直播きするのに適した播種装置に関するものである。
【背景技術】
【０００２】
稲を栽培するには、苗を移植（田植え）するものと、籾を直播きするものとがあるが、後者の方が手間が少ない。このため、最近では直播きが増えてきたが、直播きは収量が少ないといわれている。その原因は、播種が完全に行われないためであり、播種さえ完全に行なえば、収量は増えることはあっても減ることはない。籾の直播きは、播種機で行なうが、従来の播種機は、下記特許文献１にも見られるように、作溝器で溝を形成した後に播種管から種（籾）を投下していた。
【０００３】
これによると、作溝器がカーブを描きながら進行したりしていると、溝の位置と籾の投下位置とがずれて溝の中に籾が入らないことがある。このような状態になると、鳥がついばんだり、風に吹き飛ばされたりして発芽率が悪くなり、当然に収量も落ちる。一方、投下した籾には被覆材で被覆するのも重要なことである。適度な水分と空気を保持して発芽の環境を向上させるとともに、鳥害や飛散防止にも役立つからである。従来は、播種管の後部に設けられた覆土ローラで覆土していたが、単にローラを転動させるだけでは、十分に覆土ができなかった。
【０００４】
また、被覆材も、土では硬すぎるため、稲の収穫後に圃場に散乱させた藁や新たに投入した藁或いは草等を被覆材とするのが適するが、従来は、この藁の被せを人手によっていたために、大変な手間がかかっていた。このため、十分な被せができなかったり、ついつい省略して収穫量を低下させていた。
【特許文献１】特開平８ー２９４３０５号公報
【発明の開示】
【発明が解決しようとする課題】
【０００５】
本発明は、播種管を作溝器の中を通すことで作溝と同じ位置で播種ができるようにして籾を確実に溝内に投下するとともに、作溝器の上方に藁被せを設けることで播種と同時に藁が被せられるようにしたものである。
【課題を解決するための手段】
【０００６】
以上の課題の下、本発明は、請求項１に記載した、繰出しドラムの下方に播種管を設け、繰出しドラムから繰り出した種を播種管を通して地表に播種する播種装置において、作溝器を播種管を取り囲むように取り付けたことを特徴とする播種装置を提供するとともに、これにおいて、請求項２に記載した、作溝器の上方に水平面内で強制回転させられる第１藁被せを取り付けた手段、請求項４に記載した、第１藁被せの前方に同じく水平面内で強制回転させられる第２藁被せを取り付けた手段を提供したものである。
【発明の効果】
【０００７】
請求項１の手段によると、籾は、作溝器で形成される溝の中に確実に投下できるとともに、請求項２の手段によれば、播種と同時に藁被せができるし、請求項４の手段によれば、藁被せが一層確実になる。
【発明を実施するための最良の形態】
【０００８】
以下、本発明の最良の実施の形態を籾を例にとって図面を参照して説明する。図３は播種装置の側面図、図４は正面図、図１は播種装置の要部の一部断面側面図、図２は図１のＡーＡ断面図であるが、この播種装置は、トラクタ（図示省略）の後部に連結されるものであり、前後に水平に延びるベース１を有しており、ベース１の前部寄りから起立させた基柱２に平行リンク部３を装設し、平行リンク部３を左右に延びる連結バー４で連結したものである。そして、連結バー４の中央にトラクタに連結するヒッチ部５を取り付けている。なお、平行リンク部３には基柱２に嵌合するスリーブ６が設けられており、スリーブ６の上下位置と平行リンク部３の角度を調整することで、トラクタに対する高さと間隔が調整できるようになっている。
【０００９】
ベース１の後部には支柱７が立設されており、この支柱７からブラケット８を水平に前延させ、ブラケット８の前部に繰出しドラム９を垂直面内で回転可能に設けている。また、繰出しドラム９の上方には籾を入れる貯留タンク１０（１０ａは開閉可能な蓋）をブラケット８に対してステー１１で止め付けている。繰出しドラム９の内部は空洞になっており、貯留タンク１０の底部から延出した導種管１２をその内部に導いている。また、繰出しドラム９の外周面には繰出孔９ａが投下する籾の間隔に対応して設けられており、繰出孔９ａの大きさは、繰り出す籾の粒数（１０粒前後）に応じたものに設定されている。
【００１０】
繰出しドラム９の下方には播種管１３をベース１を貫通させて縦設しており、播種管１３の下端にこれを囲むように作溝器１４を取り付けている。すなわち、播種管１３は作溝器１４の中を挿通している。この播種管１３は、繰出しドラム９の繰出孔９ａから放出された籾を地表に導くもので、その上端には、籾がこぼれるのを防ぐために漏斗形の受皿１５を取り付けている。作溝器１４は、圃場に溝を形成するもので、本例では、先が尖った犂のような形状をしている。
【００１１】
さらに、支柱７の両側にアーム１６を突出させ、このアーム１６の両端に作溝器１４を挟むように二つのホイル１７を高さ調整を可能にして進行方向に回転可能に取り付けている。また、ブラケット８の後部にはリンク１８をピン１９で枢着しているとともに、リンク１８の後端に突起２０ａを適宜間隔で突出させた接地ローラ２０を進行方向に回転可能に軸支している。さらに、ブラケット８の上端から水平杆２１を後延させ、リンク１８の後部寄りから上起した縦杆２２を通して上延させている。そして、水平杆２１の上方の縦杆２２にはスプリング２３を装設してリンク１８が一定以上下方回動しないようにしている。
【００１２】
この接地ローラ２０は、籾が投下された後の溝に土を被せるものであるが、同時に繰出しドラム９に回転力を付与するものでもある。このため、繰出しドラム９と接地ローラ２０にそれぞれスプロケット２４、２５を取り付け、これらをチェンで連結しているが、このとき、接地ローラ２０を取り付けるリンク１８は、ピン１９の位置で屈曲するため、ピン１８に二枚のスプロケット２６ａ、２６ｂを嵌合するとともに、スプロケット２４、２６ａにはチェン２７ａを、スプロケット２６ｂ、２５にはチェン２７ｂを掛け回してリンク１８の屈曲角度にかかわらず、接地ローラ２０の回転力が繰出しドラム９に伝えられるようにしている。
【００１３】
本発明は、ベース１と作溝器１４との間の播種管１３に地表に散乱している藁を投下した籾の上に被せる第１藁被せ２８を設けたものであり、さらに、本例では、第１藁被せ２８の前方に第２藁被せ２９を設けている。これら第１藁被せ２８と第２藁被せ２９とは各々水平面内で強制回転させられるようになっており、このため、本例では、ベース１の前端に減速機付きモータ３０を設置し、ベース１内で、その出力軸３０ａと播種管１３に回転可能に外嵌されて第１藁被せ２８に固定的に内嵌されるスリーブ３１とにそれぞれスプロケット３２、３３を取り付けるとともに、これらをチェン３４で連結している。さらに、減速機付きモータ３０の出力軸３０ａをベース１の下方に突出させ、これに第２藁被せ２９を固嵌している。
【００１４】
なお、本例の駆動原は、バッテリー等を搭載してこれを駆動原とする減速機付きモータによっているが、この他に油圧モータを用いてもよい。トラクタには、油圧ユニットが装備されているのが通例であるから、油圧を駆動原とすれば、バッテリー等は必要なくなり、コストが低減できる利点がある。さらに、第１藁被せ２８及び第２藁被せ２９は、水平面内で回転すると述べたが、それは厳密な意味ではなく、多少傾いた面内で回転してもよい。
【００１５】
本例の第１藁被せ２８は断面が菱形をしており、それぞれの角に突起２８ａ、２８ｂが突設されたものである。なお、断面が菱形の形状は一例であって、これに限定されるものではない。また、第２藁被せ２９は円盤形をしており、その外周にも突起２９ａが突設されている。ところで、これら突起２８ａ、２８ｂ、２９ａの数、配置及び突出量等は任意に設定されるが、第１藁被せ２８の突起２８ａ、２８ｂと第２藁被せ２９の突起２９ａとは互いに干渉しない関係にしてある。そして、以上の平行リンク部３、繰出しドラム９、播種管１３及び作溝器１４等からなる播種ユニットＵは、連結バー４に対して左右に複数並列に設けられており、ヒッチ部５をトラクタに連結することにより、複数の播種ユニットＵを同時に牽引できるようになっている（複数条の播種が同時にできる）。
【００１６】
次に、以上の播種装置によって籾を圃場に播種する場合について説明すると、ヒッチ部５をトラクタに連結して圃場に乗り入れて進行すると、作溝器１４は溝を掘るととともに（このときの溝の深さは３０ｍｍ程度が適する）、接地ローラ２０は地表に接地して回転するし（このとき、突起２０は地面に食い込み、確実な回転を確保する）、ホイル１７も接地して回転する。この点でホイル１７は、進行のガイドとなるとともに、深さ設定器の役割も果たす。接地ローラ２０が回転すると、その回転力は、スプロケット２４、２５、２６、チェン２７ａ、２７ｂを介して繰出しドラム９に伝達され、これを回転させる。繰出しドラム９の内部には、貯留タンク１０から導種管１２を通して籾が供給されているから、繰出しドラム９の回転に伴ってその繰出孔９ａから籾が排出される。
【００１７】
繰出孔９ａから籾が排出されると、籾は受皿１５で確実に受け止められ、播種管１３の中を通って落下し、作溝器１４で形成された溝の中に落下する。このとき、播種管１３は作溝器１４の中を挿通しているから、作溝器１４がカーブを描きながら溝を形成していても、籾は確実に溝の中に落下する。一方、作溝器１４の上方には第１藁被せ２８が回転しているから、その突起２８ａ、２８ｂが地表に散乱している藁を溝中の籾の上に被せる。この点で、突起２８ａ、２８ｂの高さはこの藁に作用するように設定する必要がある。
【００１８】
このとき、第１藁被せ２８の断面が菱形をしていることは、その長短の角が藁に作用してこれをかき乱すことに寄与する。また、第１藁被せ２８の両側にホイル１７が存在することは、藁の飛散をこの範囲内に留めおいて溝の上に被せることに寄与する。加えて、第１藁被せ２８の前方に第２藁被せ２９を設けておけば、藁のかき乱しが一層促進し、籾への被せがより確実になる。このようにして、播種と同時に藁被せができることになり、人手による後作業をする必要がなくなる。
【００１９】
ところで、籾の直播きは５月頃行うが、それまで圃場を耕起することは敢えて必要としない（収穫量において差はない）。稲は、９〜１０月頃に収穫するが、このとき、藁は、コンバインのカッターで細かく切断して圃場に散乱させておくが、このままの状態で直播きをすればよい。ただし、６ケ月以上も経つと、藁が土に付着して硬化するから、直播き前に草を刈ってこれと一緒にほぐしておくのが適する。この場合でも、ロータリで耕起すると、藁と草を土中にすきこむから、モアによる草刈と藁ほぐしが適する。このようにすると、稲の栽培を極力手間を省いてできる。なお、以上は、籾の播種についてのものであるが、本発明は、これに限らず、麦や野菜その他の種を播種する場合にも適用できるのはいうまでもない。
【図面の簡単な説明】
【００２０】
【図１】播種装置の要部の一部断面側面図である。
【図２】図１のＡーＡ断面図である。
【図３】播種装置の側面図である。
【図４】播種装置の一部正面図である。
【符号の説明】
【００２１】
１    ベース
２    基柱
３    平行リング部
４    連結バー
５    ヒッチ部
６    スリーブ
７    支柱
８    ブラケット
９    繰出しドラム
９ａ  繰出孔
１０  貯留タンク
１０ａ蓋
１１  ステー
１２  導種管
１３  播種管
１４  作溝器
１５  受皿
１６  アーム
１７  ホイル
１８  リンク
１９  ピン
２０  接地ローラ
２０ａ突起
２１  水平杆
２２  縦杆
２３  スプリング
２４  スプロケット
２５  スプロケット
２６ａスプロケット
２６ｂスプロケット
２７ａチェン
２７ｂチェン
２８  第１藁被せ
２８ａ突起
２８ｂ突起
２９  第２藁被せ
２９ａ突起
３０  減速機付きモータ
３０ａ出力軸
３１  スリーブ
３２  スプロケット
３３  スプロケット
３４  チェン
Ｕ  播種ユニット
【図１】
2006158321.tif 000003
【図２】
2006158321.tif 000004
【図３】
2006158321.tif 000005
【図４】
2006158321.tif 000006